(57)【要約】      （修正有）【課題】プレス工具ネットワーク、および、加工物をプレスする方法に関して、プロセスの簡素化、プロセス信頼性および／またはプロセスの記録化を改善する。【解決手段】プレス工具２、電子制御ユニット３１（とりわけスマートフォンまたはタブレット）、並びにデータメモリ３７（とりわけクラウドメモリ３８）を有するプレス工具ネットワーク３９に関する。プレス工具２のダイ３，４は識別子１８，１９を有し、この識別子は、プレス工具の検出装置２１によって検出することができる。制御ユニット３１には、データメモリ３７から検出された識別子１８，１９に対して特異的なデータ４８が提供され、この特異的なデータは、目標プレス力経過４９、目標プレス経路経過５０および／またはダイ３，４が特定されている加工物に関する情報とすることができる。これにより、プレス工具２を使用するためのプロセス確実性を高めることができる。【選択図】図１
2020082344.tif 000002
【特許請求の範囲】
【請求項１】
加工物をプレスするためのプレス工具（２）と、交換可能なダイ（３，４）を収容するためのダイ収容部（１０，１１）とを有するプレス工具ネットワーク（３９）であって、前記プレス工具（２）は、前記ダイ（３，４）の識別子（１８，１９）を検出するように構成された検出装置（２１）を有する、プレス工具ネットワークにおいて、
前記プレス工具（２）の外部に形成され、配置された電子制御ユニット（３１）を備えており、前記電子制御ユニット（３１）は、前記プレス工具（２）の前記検出装置（２１）と通信し、前記プレス工具（２）の外部に配置された前記電子制御ユニット（３１）は、外部のデータメモリ（３９）と通信し、
ａ）電子制御ユニット（２２；３１）は制御論理回路を有し、前記制御論理回路は、前記検出装置（２１）により検出された前記ダイ（３，４）の識別子（１８，１９）に基づき、および／または、前記検出された識別子に対して特異的な、データメモリ（３３；３８）からのデータ（４８）に基づき、出力装置（２３；２２）の出力を制御し、前記出力は、前記プレス工具（２）に装着されたダイ（３，４）によりプレスすることのできる加工物の形式に関する情報を含み、および／または、
ｂ）加工物特定装置（３４）が設けられており、前記加工物特定装置を介して、前記プレス工具（２）によりプレスすべき加工物の加工物仕様を検出または入力することができ、電子制御ユニット（２２；３１）は制御論理回路を有し、前記制御論理回路は、
ｂａ）前記検出装置（２１）により検出されたダイ（３，４）の識別子（１８，１９）に基づき、かつ、
ｂｂ）前記加工物仕様に基づき、
前記ダイ（３，４）が、前記加工物仕様を備える加工物のプレスに適するものであるか否かを分析し、前記分析の結果に依存して、登録および／または出力を形成する、ことを特徴とするプレス工具ネットワーク。
【請求項２】
前記プレス工具（２）は、ハンドレバー（８，９）により手動で操作されるプレスペンチ（５）である、ことを特徴とする請求項１に記載のプレス工具ネットワーク（３９）。
【請求項３】
前記検出装置（２１）および／または電子制御ユニット（２２）は、前記プレスペンチ（５）の挟み込みヘッド（１５）の領域に配置されている、ことを特徴とする請求項２に記載のプレス工具ネットワーク（３９）。
【請求項４】
前記検出装置（２１）は、前記ダイ収容部（１０，１１）の領域に、または、前記ダイ収容部に隣接して配置されている、ことを特徴とする請求項１から３のいずれか一項に記載のプレス工具ネットワーク（３９）。
【請求項５】
ａ）前記検出装置（２１）は、光学的符号の形態の識別子（１８，１９）のための読み取り装置を有し、および／または、
ｂ）前記検出装置（２１）は、機械的接触輪郭の形態の識別子（１８，１９）のための機械的走査装置を有し、および／または、
ｃ）前記検出装置（２１）は、前記ダイ（３，４）のＲＦＩＤユニット（２７，２８）から送信され、前記識別子（１８，１９）を形成する、または含む信号のための受信ユニットを有し、および／または、
ｄ）前記検出装置（２１）は、前記識別子（１８，１９）を形成する、または含む光線信号または光信号のための受信器を有し、および／または、
ｅ）前記識別子（１８，１９）の伝送は、誘導性結合を介し、前記ダイ（３，４）と前記検出装置（２１）との間で行われる、ことを特徴とする請求項１から４のいずれか一項に記載のプレス工具ネットワーク（３９）。
【請求項６】
前記ダイ（３，４）の検出された前記識別子（１８，１９）は、
ａ）前記ダイ（３，４）の形式の識別子であり、および／または、
ｂ）前記ダイ（３，４）の一義的な専用識別子であり、および／または、
ｃ）前記ダイ（３，４）の認証である、ことを特徴とする請求項１から５のいずれか一項に記載のプレス工具ネットワーク（３９）。
【請求項７】
ａ）識別子（１８，１９）を有する交換可能な少なくとも１つのダイ（３，４）を備え、
ｂ）前記プレス工具（２）の前記検出装置（２１）は、前記ダイ（３，４）の識別子（１８，１９）を検出するように構成されている、請求項１から６のいずれか一項に記載のプレス工具ネットワーク（３９）。
【請求項８】
交換可能な前記ダイ（３，４）は、切欠部（５５；５６）または内部空間内に、前記識別子（１８，１９）および／または位置信号のための送信ユニット（５３，５４）を有する、ことを特徴とする請求項７に記載のプレス工具ネットワーク（３９）。
【請求項９】
電子制御ユニット（２２，３１）は制御論理回路を有し、前記制御論理回路は、前記検出装置（２１）により検出されたダイ（３，４）の識別子（１８，１９）に基づき、および／または、データメモリ（３３；３７）からのデータに基づき、出力装置（２３；３２）の出力および／または、データメモリ（３３；３７）への登録を制御し、前記出力または前記登録は、前記ダイ（３，４）が前記プレス工具（２）に装着するために認証されていないという情報を含む、ことを特徴とする請求項１から８のいずれか一項に記載のプレス工具ネットワーク（３９）。
【請求項１０】
ａ）電子制御ユニット（２２；３１）は制御論理回路を有し、前記制御論理回路は、データメモリ（３３；３７）から、前記検出された識別子（１８，１９）に対して特異的な目標プレス力経過（４９）および／または目標プレス経路経過（５０）についての特徴的データ（４８）をロードし、
ｂ）前記プレス工具（２）は、プレス過程でダイ収容部（１０，１１）に配置されたダイ（３，４）により加工物がプレスされるプレス行程の実行中に、実際プレス力信号（２５）および／または実際プレス経路信号（２６）を検出するための少なくとも１つのセンサ（１７）またはスイッチを有し、
ｃ）電子制御ユニット（２２．３１）は制御論理回路を有し、前記制御論理回路によって、
ｃａ）目標プレス力経過（４９）および／または目標プレス経路経過（５０）の特徴的データ、かつ、
ｃｃ）実際プレス力信号（２５）および／または実際プレス経路信号（２６）の特徴的データを考慮してプレス過程の評価が行われる、ことを特徴とする請求項１から９のいずれか一項に記載のプレス工具ネットワーク（３９）。
【請求項１１】
ａ）ダイ（３，４）をプレス工具（２）に装着し、
ｂ）前記プレス工具（２）の検出装置（２１）を介して、前記ダイ（３，４）の識別子（１８，１９）を検出し、
ｃ）データメモリ（３３；３７）から、検出された前記識別子（１８，１９）に対して特異的な情報であって、前記プレス工具（２）に装着された前記ダイ（３，４）によりプレスすることのできる加工物の少なくとも１つの形式に関する情報を含むデータ（４８）をロードし、
ｄ）出力装置（２３；３２）を介して、前記ダイ（３，４）によりプレスすることのできる加工物の少なくとも１つの形式に関する情報を出力する、ことを特徴とする請求項１から１０のいずれか一項に記載のプレス工具ネットワーク（３９）により加工物をプレスする方法。
【請求項１２】
ａ）ダイ（３，４）をプレス工具（２）に装着し、
ｂ）前記プレス工具（２）の検出装置（２１）を介して、前記ダイ（３，４）の識別子（１８，１９）を検出し、
ｃ）検出された前記識別子（１８，１９）に対して特異的な目標プレス力経過（４９）および／または目標プレス経路経過（５０に関する特徴的データを、データメモリ（３３；３７）からロードし、
ｄ）センサ（１７）が、プレス過程で前記ダイ（３，４）により加工物がプレスされるプレス行程の実行中に、実際プレス力信号（２５）および／または実際プレス経路信号（２６）を検出し、
ｅ）プレス過程の評価を、
ｅａ）目標プレス力経過（４９）および／または目標プレス経路経過（５０）のデータ（４８）を考慮して、かつ、
ｅｂ）実際プレス力信号（２５）および／または実際プレス経路信号（２６）を考慮して、
行う、ことを特徴とする請求項１から１０のいずれか一項に記載のプレス工具ネットワーク（３９）により加工物をプレスする方法。
【請求項１３】
ａ）加工物特定装置（３４）を介して、プレス工具（２）によりプレスすべき加工物の加工物仕様を入力または検出し、
ｂ）前記検出装置（２１）により検出されたダイ（３，４）の前記識別子（１８，１９）に基づいて、かつ前記加工物仕様に基づいて、前記ダイ（３，４）が、前記加工物仕様を備える加工物をプレスするのに適するものであるか否かを分析し、
ｃ）前記分析の結果に依存して、登録および／または出力を行う、ことを特徴とする請求項１から１０のいずれか一項に記載のプレス工具ネットワーク（３９）により加工物をプレスする方法。
【発明の詳細な説明】
【技術分野】
【０００１】
本発明は、外部エネルギー、とりわけ空気圧的、液圧的または電気的に操作されるプレス工具とすることのできるプレス工具を備えるプレス工具ネットワークに関する。このプレス工具は、ユーザの手により保持および案内することができ、または定置のプレス機として構成することができる。好ましくはプレス工具は、手持ち式プレス工具であり、ユーザにより手持ち式プレス工具のハンドレバーに力をもたらすことによって手動で操作される。
【背景技術】
【０００２】
プレス工具の構成に関しては、以下の変形例がある。
【０００３】
ａ）プレス工具は、特に持続的な機械的接続および電気的接触接続を形成する圧着ペンチまたは圧着機であって良い。このことは好ましくは、任意の構造形式のケーブルまたは電気導体を備えるコネクタを圧着することにより行われる。使用されるダイのプロフィールに応じて、種々の圧着過程を圧着ペンチまたは圧着機により実行することができる。例えばこれは閉鎖された圧着でも良く、この閉鎖された圧着では導体がコネクタの閉鎖された圧着ゾーンに、または閉鎖されたスリーブに導入され、圧着ゾーンまたはスリーブの可塑変形によって圧着される。しかし、開放した圧着を形成することも可能であり、この開放した圧着ではコネクタが開放した圧着ゾーンを有し、この圧着ゾーンに導体を上方から装填することができる。本発明を限定しない単なるいくつかの例を挙げると、本発明により使用される圧着ペンチまたは圧着機により、以下のような加工品、例えば
−ＤＩＮ４６２３によるケーブルシュー、
−ＤＩＮ４６３２９によるアルミニウム接続器、
−ＤＩＮ４８２０１によるアルミニウム圧縮ケーブルシュー
−ＤＩＮ４６２３４による圧潰ケーブルシュー、
−ＤＩＮ４６２３０によるピンケーブルシュー、または
−ＷＥＺＡＧ有限会社工具ファブリックの製品カタログ“専門用途のための工具”、刊行番号１０／１１に記載されたような接続器、コネクタまたはケーブルシューを圧着することができる。形成された圧着は、例えば閉鎖された圧着に対しては、六角またはヘキサゴンクリンプ、四角クリンプ、Ｂ字型クリンプ、台形クリンプ、修正された台形クリンプ、楕円クリンプ、針クリンプまたは２針クリンプとすることができる。開放した圧着は、例えばＶ字型クリンプまたはＢ型クリンプとして、ロールクリンプまたはダブルロールクリンプとして構成することができる。
【０００４】
ケーブルまたは導体とコネクタとの間に電気接続を形成することに加えて、いわゆる絶縁クリンプにより機械的接続も形成することができる。ここでは、閉鎖された絶縁クリンプまたは開放した絶縁クリンプ（とりわけＶ字型クリンプまたはＢ字型クリンプ、Ｏ字型クリンプまたはＯＶ字型クリンプ）を使用することができる。
・圧着ペンチまたは圧着機の構成、
・圧着ペンチまたは圧着機の可能な使用領域、および／または
・圧着ペンチまたは圧着機により作製することのできる圧着接続の種々の可能な形式、についてのさらなる情報に関しては、著作、ＷＥＺＡＧ有限会社工具ファブリックの“Ｃｒｉｍｐｔｅｃｈｎｉｋ，ＨｅｒｓｔｅｌｌｕｎｇｐｒｏｚｅｓｓｓｉｃｈｅｒｅｒＶｅｒｂｉｎｄｕｎｇｅｎｖｏｎｅｌｅｋｔｒｉｓｃｈｅｎＬｅｉｔｅｒｎｕｎｄＳｔｅｃｋｅｒｎ（圧着技術、電気導体およびコネクタのプロセス信頼接続の形成）”、ＤｉｅＢｉｂｌｉｏｔｈｅｋｄｅｒＴｅｃｈｎｉｋ３４２，出版社ＭｏｄｅｒｎｅＩｎｄｕｓｔｒｉｅ、ＩＳＢＮ９７８−３−６８２３６−０２７−７を参照されたい。種々異なる構造形式の圧着ペンチは、例えば独国特許発明第３７０８７２７号明細書、独国特許発明第１９７５３４３６号明細書、独国特許発明第１９８０２２９７号明細書、独国特許発明第１９８０７７３７号明細書、欧州特許出願公開第２３０５４２８号明細書から公知である。
【０００５】
ｂ）プレス工具が、流体技術において機械的な流体密の接続を作製するのに用いられ、例えばパイプを互いに接続または流体密の接続区間と接続するためのパイププレスペンチであることも可能である。ここではパイププレスペンチによって、接続すべきパイプまたは機械的接続および流体密の密閉を保証するいわゆるフィッティングの可塑変形が行われる。パイププレスペンチの例示的実施形態が、独国特許出願公開第１９７０９６３９号明細書、独国特許発明第１９８３４８５９号明細書、独国特許発明第１９９２４０８６号明細書、独国特許発明第１９９２４０８７号明細書、独国特許発明第１９９６３０９７号明細書、独国特許発明第１０３４６２４１号明細書、欧州特許出願公開第２９９５４２４号明細書、から得ることができる。
【０００６】
プレス工具により、加工物の圧縮が行われる。この加工物は、構成群とすることができる。圧着ペンチまたは圧着機としてのプレス工具の構成に関して、加工物は、コネクタおよび電気導体により、場合により付加的なパッキンにより形成された構成ユニットとすることができる。これに対して、パイププレス工具としてのプレス工具の構成においては、加工物は、フィッティングと、場合によりその中に配置された少なくとも１つのパイプまたは接続要素と、いくつかのパッキンとすることができる。
【０００７】
刊行物、国際公開第２０１６／００５８３８号は、モータと２つのクランプジョーを備えるプレス工具を開示し、これら２つのクランプジョーは、モータによって互いに押圧される。プレス工具における制御および／または調整システムは、クランプジョーが閉鎖位置にいつ達したかを監視し、達した場合にはモータを自動的に遮断する。挟み込みジョーが閉鎖位置に達したか否かは、種々のやり方で確定することができる。開示された方法の１つは、どの形式のクランプジョーがプレス工具に装着されたかの確定を含む。クランプジョーの形式に関しては、クランプジョーにある基準点が、クランプジョーの開放位置と閉鎖位置との間でどの経路を進んだかが既知である。基準点が実際に進んだ経路が測定され、予め既知の経路と比較される。その結果、クランプジョーの各形式に関して、基準点が進んだ経路に基づき、クランプジョーが閉鎖されていることを確定することができる。クランプジョーの形式の確定は、機械的な形状識別、光学的または色的識別、磁気的または電気的識別、並びにＲＦＩＤタグの信号の識別に基づくことができる。同様のやり方で、どのような形式の加工物が圧着ペンチに装填されているかを確定することもできる。さらにクランプジョーの形式に関しては、測定された圧力差またはモータの電力消費の測定された差に基づいても、クランプジョーが閉鎖されていることを識別することができる。制御および／または調整回路と接続された指示器には、どの動作モードが選択されているか、またはどの程度のプレス力に最大で達したか、そしてプレス過程の結果を指示することができる。
【０００８】
刊行物、米国特許公開公報第２０１３／０２３３０４３号明細書は、自動的に、または手で操作される圧着ペンチを開示する。この圧着ペンチでは、いくつのクランプサイクルを圧着ペンチがすでに実行したか、および実行されたクランプサイクルの数の結果として、保守がすでに必要か否かが監視される。クランプサイクルが実行されたことは、センサを介して検出される。このセンサは、圧着ペンチの２つのハンドレバーがいつ互いに接近するかを記録する。圧着ペンチは、カウンタとして構成されたマイクロコントローラを有する。マイクロコントローラのメモリは、外部機器により無線データ伝送を介して読み出すことができる。外部機器によりマイクロコントローラをリセットし、または再プログラミングすることができる。マイクロコントローラは、外部機器に圧着ペンチの識別符号を通知することもできる。
【先行技術文献】
【特許文献】
【０００９】
【特許文献１】独国特許発明第３７０８７２７号明細書
【特許文献２】独国特許発明第１９７５３４３６号明細書
【特許文献３】独国特許発明第１９８０２２９７号明細書
【特許文献４】独国特許発明第１９８０７７３７号明細書
【特許文献５】欧州特許出願公開第２３０５４２８号明細書
【特許文献６】独国特許出願公開第１９７０９６３９号明細書
【特許文献７】独国特許発明第１９８３４８５９号明細書
【特許文献８】独国特許発明第１９９２４０８６号明細書
【特許文献９】独国特許発明第１９９２４０８７号明細書
【特許文献１０】独国特許発明第１９９６３０９７号明細書
【特許文献１１】独国特許発明第１０３４６２４１号明細書
【特許文献１２】欧州特許出願公開第２９９５４２４号明細書
【特許文献１３】国際公開第２０１６／００５８３８号
【特許文献１４】米国特許公開公報第２０１３／０２３３０４３号明細書
【発明の概要】
【発明が解決しようとする課題】
【００１０】
本発明の基礎とする課題は、プレス工具ネットワーク、および、加工物をプレスする方法に関して、
・プロセスの簡素化、
・プロセス信頼性および／または
・プロセスの記録化
改善することである。
【課題を解決するための手段】
【００１１】
本発明の課題は、独立請求項の特徴により本発明にしたがって解決される。さらなる好ましい本発明の構成は、従属請求項に記載されている。
【００１２】
本発明の基礎となる課題を解決するために、本発明で使用され、加工物をプレスするように定められたプレス工具は、（少なくとも）１つのダイ収容部を有し、このダイ収容部には交換可能なダイを収容することができる。ダイは、ダイ収容部とねじ留めまたはクリップ留めすることができる。独国特許発明第１９８０２２８７号明細書によるダイとダイ収容部との接続も参照のこと。
【００１３】
プレス工具がパイププレスペンチまたは圧着ペンチの場合、ダイ収容部は挟み込みジョーによって構成することができる。これに対して、プレス工具が、外部エネルギーにより操作される機械の場合、ダイ収容部はスタンプまたは鉄床によって構成することができる。
【００１４】
本発明によれば、プレス工具は、（好ましくは電子的）検出装置を有する。検出装置は、ダイの識別子を検出するように構成されている。
【００１５】
従来技術によれば、プレス工具のダイ収容部にダイを供給する間、ユーザによって、または自動的供給装置によって、それぞれの加工物に対して正しいダイが、加工物のプレスのためにプレス工具のダイ収容部内に配置されていることに注意を払わなければならない。例えばプレス工具のプレス力を、加工物のプレスの際に例えば記録し、評価するためには、正しいダイがダイ収容部に配置されていることを確信できなければならない。
【００１６】
これに対して、本発明で使用されるプレス工具は、ダイ収容部内に配置されているダイに関する識別子の形で情報を検出することができる。これによりプレスの確実性が高まる。なぜなら、正しいダイ、すなわち正しい形式のダイが、または信頼できる形式のダイ群からの形式のダイが、ダイ収容部内に配置されているか否かを識別することができるからである。識別子に基づいて識別されたダイは、プロセス記録部において記録することもできる。検出されたダイの識別子に基づいて、加工物のプレスの際にプレス制御を行うことができる。および／または、このダイに対して専用の評価パラメータ、例えば目標プレス力経過を使用することができる。
【００１７】
プレス工具（またはプレス工具およびダイにより形成されたプレス工具セット）は、プレス工具ネットワークで作動される。ここでプレス工具ネットワークは、プレス工具の外部（場合により離間して）に形成されるとともに配置された電子制御ユニットを有し、この電子制御ユニットは、例えばＰＣ、タブレット、ラップトップまたはスマートフォンとすることができる。この電子制御ユニットは、プレス工具の検出装置と通信する。そのために、プレス工具にある検出装置の構成部分とすることのできる電子制御ユニット、または検出装置と通信する電子制御ユニットも使用することができる。ここで通信は無線で、とりわけＢｌｕｅｔｏｏｔｈまたはＷＬＡＮを介して行うことができ、またはケーブル接続することができる。この目的のためにプレス工具は、無線送受信装置を有することができ、または適切なケーブル接続のための端子、とりわけＵＳＢ端子を有することができる。ここで通信は、プレス工具から電子制御ユニットに単方向に、または逆方向に行うことができる。好ましくは通信は、双方向に行われる。通信は、以下に詳細に説明するように、例えばプレス工具に使用されるダイを記録するために、検出されたダイにより加工することのできる加工物に関する情報を提供するために、圧着過程を評価するための特性データを提供するために使用することができるが、これは非制限的ないくつかの例として挙げるだけである。
【００１８】
プレス工具の外部に配置された電子制御ユニットは外部のデータメモリと通信し、この通信は公衆ネットワークを介して行うことができる。しかしこれは更に適切な暗号化により行うことができる。例えば外部のデータメモリは、クラウドメモリとして構成することができる。ここでは、プレス工具の様々なユーザが１つの共通のデータメモリ（とりわけクラウドメモリ）にアクセスすることが可能であり、この場合、データメモリは、中心人物、中心企業、例えばプレス工具の製造業者により提供される。
【００１９】
以下、電子制御ユニットについて述べる場合、この電子制御ユニットは、プレス工具の構成部分とすることができ、この場合、とりわけ検出装置と共同動作し、または検出装置を形成することができる。しかしこの電子制御ユニットがプレス工具の外部に形成されるとともに配置された電子制御ユニットであり、場合により外部のデータメモリまたはクラウドメモリと通信することも可能である。
【００２０】
本発明によれば、制御ユニットは制御論理回路を有することができる。制御ユニットの制御論理回路によって、データメモリから、ダイの検出された識別子に対して特異的なデータをロードすることができる。このデータは、目標プレス力経過および／または目標プレス経路経過に対して特徴的である。例えば特徴的データは、時間にわたる目標プレス力経過、目標プレス工具経過にわたる目標プレス力経過、または目標プレス力経過あるいは目標プレス工具経過の最大値、最小値、勾配等とすることができる。したがってデータメモリまたはクラウドに、種々のプレス工具、加工物および／またはダイにより形成される種々の目標プレス力経過および／または目標プレス経路経過に対する特徴的データを記憶することができる。ダイ（および場合によりプレス工具および／またはプレスすべき加工物）の検出された識別子に基づいて、次にデータメモリから、検出された識別子に対して特異的な特徴的データをロードすることができる。この場合、プレス工具は、少なくとも１つのセンサまたはスイッチを有する。センサまたはスイッチにより、実際プレス力信号または実際プレス経路信号を、プレス工程の実行中に検出することができる。このプレス工程にわたってプレス過程で、ダイ収容部に配置されたダイにより加工物がプレスされる。そして制御ユニットは制御論理回路を有し、この制御論理回路によってプレス過程の評価が行われる。この評価は、特徴的データを考慮して、一方では目標プレス力経過および／または目標プレス経路経過に関して、他方では実際プレス力信号および／または実際プレス経路信号に関して行われる。単に説明的な例を挙げると、評価は、センシングされた実際プレス力信号の最大値が、目標プレス力経過の最大値を中心にする所定の公差範囲内にあるか否かを検査することにより行うことができる。評価の結果に応じて、出力装置への出力を行うことができ、対応の記録を行うことができ、プレス過程を中断し、またはさらなるプレス過程のためにプレス工具を取り外す等することができる。
【００２１】
本発明によれば、加工物特定装置を設けることができる。加工物特定装置によって、プレス工具によりプレスすべき加工物の加工物仕様を入力または検出することができる。例えば、外部の電子制御ユニット、特にラップトップ、ＰＣまたはスマートフォンにおいてキーボードまたは操作フィールドにより、加工物またはコネクタに対して特異的な加工物番号（出願人のパンフレット「プロ使用のための工具」リリースノート２０１１年１０月によるコネクタの２５２９１などのコンタクト番号、並びに場合によってはコネクタによりプレスすべきケーブルの番号を参照）を入力または選択することができる。しかし例えば、加工物をスマートフォン、タブレットまたはラップトップのカメラあるいは外部のカメラによって検出し、画像識別によって加工物を識別し、これに基づいて加工物仕様の割り当てを行うこともできる。加工物特定装置がバーコードスキャナを有し、このバーコードスキャナが加工物を特定するバーコードを検出することも可能である。この構成のために、電子制御ユニットは制御論理回路を有し、この制御論理回路は、一方では検出装置により検出されたダイの識別子に基づき、他方では加工物仕様に基づき、その加工物仕様を備える加工物をプレスするのにそのダイが適しているか否かを分析する。この分析のために、電子制御ユニットは、ダイと加工物との許容される組み合わせが適切な形態で呼び出し可能に記憶されている外部のデータメモリまたはクラウドメモリにアクセスすることができる。分析の結果に依存して、記録への登録が行われ、および／またはユーザへの出力が行われる。
【００２２】
プレス工具が、ハンドレバーを介して手動で操作されるプレスペンチである場合、検出装置は基本的にプレスペンチの任意の箇所に配置することができる。本発明の特別の提案に関して、検出装置および／または電子制御ユニットは、プレスペンチの挟み込みヘッドの領域に配置されている。この種の挟み込みヘッドは、挟み込みジョーとハンドレバーとの間に配置することができ、堅固なケーシングを有する。ここでは、検出装置を挟み込みヘッドの“テックパック”に組み込むことも可能であり、または機械的な挟み込み部材により構成された別個の電子構成ユニットに組み込むことも可能である。これらは、官庁書類番号ＥＰ１８１７３８０３．０の未公開の欧州特許出願に記載されている。この欧州特許出願は、
・さらなる機能のための電子構成ユニットの使用、
・電子構成ユニットの構造的、電気的および／または電子的な構成、
・電子構成ユニットと機械的挟み込み部材との接続、
に関して、本欧州特許出願の対象とする。
【００２３】
本発明のさらなる実施形態は、検出装置がダイ収容部の領域に、またはそれに隣接して配置されていることを提案する。プレス工具がプレスペンチとして構成されている場合、検出装置は、挟み込みヘッドの領域、またはそれどころか挟み込みジョーの領域に配置することができる。単にさらなる例を挙げると、ダイ収容部からの検出装置の間隔は、１０ｃｍ未満、５ｃｍ未満、４ｃｍ未満、３ｃｍ未満、２ｃｍ未満、またはそれどころか１．５ｃｍ未満である。ここで検出装置は、ダイ収容部自体の領域にまで伸長することができる。
【００２４】
ダイと検出装置との間で伝送される識別子および伝送機器の形式に関しては、多種多様の可能性があり、それらのうち以下単なる例としていくつかの可能性を挙げる。
・プレス工具は、プレス工具セットにおいて、識別子を含む光学的コーディングを有するダイと共に使用することができる。この種の光学的コーディングに対する一可能性として、バーコードまたは数列またはＱＲコードを挙げることができる。この場合、プレス工具の検出装置は読み取り装置を有し、この読み取り装置を介して光学的コーディングを検出することができる。この読み取り装置は、例えば光学的コーディングのためのカメラまたはスキャナの形式にすることができる。
・プレス工具セットで、識別子を提供する機械的輪郭を有するダイを使用することも可能である。この場合、検出装置は、機械的輪郭のための機械的走査装置を有する。単に非制限的な例を挙げると、機械的走査装置は、操作ピンまたは走査ローラを有することができ、これらは機械的輪郭に沿って移動される。この場合、操作ピンの移動をセンシングした信号は識別子を含む。操作ピンの列またはフィールドを機械的輪郭に対して押圧し、これにより操作ピンが機械的輪郭に対応して異なって偏向され、操作ピンのこの偏向に基づいて、輪郭により符号化された識別子を検出することも可能である。
・さらにダイが、識別子を提供するＲＦＩＤユニットを有することも可能である。ＲＦＩＤユニットは、識別子を含む、とりわけ高周波信号を送信する。ＲＦＩＤユニットが受動的ユニットとして構成されている場合、このＲＦＩＤユニットは、適切な電力供給なしで構成することができ、したがって同様にプレス工具の構成部分とすることのできる励起ユニットによる外部励振の結果として、それ自体公知のように電力が供給され、それにより識別子を有する信号を送信することができる。検出装置は受信装置を有し、この受信装置によって、ＲＦＩＤから送信された信号を受信することができる。
【００２５】
識別子のこの形式および／またはダイとプレス工具との間での識別子の伝送の形式に対する特別な形態として、近距離無線通信（または“Ｎｅａｒ  Ｆｉｅｌｄ  Ｃｏｍｍｕｎｉｃａｔｉｏｎ”、略して“ＮＦＣ”）と称される技術を使用することができる。これは、数ｃｍの短い区間を介して緩く結合されたコイルによる電磁誘導を介して、データを無接触で交換するための、ＲＦＩＤ技術に基づく国際伝送規格であり、データ伝送速度は最大４２４ｋＢｉｔ／ｓとすることができる。ここで無線伝送は、ＩＳＯ／ＩＥＣ１４４４３またはＩＳＯ／ＩＥＣ１５６３による受動型ＨＦ−ＲＦＩＳタグによって行うことができ、または同等の活性の送信器間で有線伝送を行うこともできる。
【００２６】
本発明の枠内で使用可能なＲＦＩＤおよびＮＦＣについてのさらなる情報に関しては、Ｗｉｋｉｐｅｄｉａの下での“ＮＦＣ”並びに“ＲＦＩＤ”の項目（閲覧日２０１８年１０月１１日）およびここに記載した刊行物、並びにＲＦＩＤおよびＮＦＣに該当する標準作業、および特に
Ｋｌａｕｓ  Ｆｉｎｋｅｎｚｅｌｌｅｒ著“ＲＦＩＤハンドブック：トランスポンダ、無接触チップカードおよびＮＦＣの基礎と実際の適用”、Ｃａｒｌ  Ｈａｎｓｅｒ出版ＧｍｂＨ＋Ｃｏ．ＫＧ、第７版、ＩＳＢＮ９７８３４４６４３９４３６を参照されたい。
・プレス工具セットにおいてダイが光線または光送信器を有し、この送信器が識別子を光線または光信号に符号化して送信することも可能である。この場合、検出装置は、光線または光信号に対する受信器を有することができる。光線または光の形式に関しては、ダイに使用される送信器および／またはプレス工具の検出装置に使用される受信器に多種多様の可能性がある。例えば送信器は、赤外線センサ、フォトセルまたはダイオードとすることができる。識別子の符号化は、送信される光線または光信号の周波数および／または振幅の形で行うことができ、それとは別の、伝送または通信技術から公知の伝送および符号化フォーマットを利用することもできる。
さらに、識別子を、ダイと検出装置との間で誘導結合を介して伝送することが可能である。ここでは、識別子の伝送は電磁誘導を介して行われ、そのために例えば問い合わせユニットと所属のトランスポンダとの間の信号伝送は、高周波磁界のスイッチオンおよびオフにより行うことができる。このことは、振幅変調に対応することができる。トランスポンダ内では、これにより電圧がコイルに誘導され、この電圧はダイオードを介して整流することができる。しかし他の構成形態もまったく可能である。
【００２７】
検出装置により検出されるダイの識別子の構成に関しては、本発明の枠内で多種多様の可能性が存在し、それらのうちのいくつかを以下、例として挙げる。
・識別子は、ダイの形式の識別子とすることができる。したがって構造的に同じ複数のダイ、または関連する特徴または使用目的を有する、異なる構造形式のダイも同じ識別子を有することができる。
しかし（択一的にまたは累積的に）識別子は、それぞれのダイに対して一義的で特異的なものにすることもでき、したがって識別子は一義的であり、例えば特定のダイに割り当てられた較正データ、目標プレス力経過を使用することができ、プロセス記録部において、どのダイが加工物のプレスのために使用されたかを正確に記録することができる。
・最後に、識別子はダイの認証とすることもでき、この認証に基づいて例えば、オリジナルのダイが使用されており、認証されていない剽窃物が使用されていないか否かを検査することができる。
【００２８】
好ましくはプレス工具セットでは、少なくとも１つの交換可能なダイが切欠部または内部空間を有する。切欠部または内部空間には送信ユニット、とりわけＲＦＩＤユニットを配置することができ、これは識別子を送信する。択一的にまたは累積的に、切欠部または内部空間には位置信号、とりわけＧＰＳ信号のための送信ユニットを配置することができる。このＧＰＳ信号は、例えば同様に内部空間、切欠部またはダイの他の切欠部に組み込むことのできるＧＰＳユニットにより形成される。内部空間または切欠部は、外に向かって開放することができ、またはカバーあるいは塗料層、ないし同様の覆いを介して閉鎖することができ、これにより湿気または汚物の送信ユニットへの侵入も回避することができ、および／または送信ユニットの機械的損傷も回避することができる。ここで覆い、カバーまたは塗料層は、好ましくは、送信ユニットから送信される信号に対して良好な光線透過性を有する材料から作製される。好ましくは、覆い、カバーまたは塗料層の光線透過率は、ダイの基本材料の少なくとも２０％、少なくとも５０％、少なくとも１００％、または少なくとも２００％大きい。これはとりわけ、
・１．５ＧＨｚから３ＧＨｚの周波数範囲、好ましくは２．０から２．８Ｇｈｚまたは２．２から２．６ＧＨｚの周波数範囲、または
・５００ＭＨｚ±５％、±１０％または±２０％、１８００ＭＨｚ±５％、±１０％または±２０％、または１９００ＭＨｚ±５％、±１０％または±２０％の周波数範囲
に当てはまる。ここで光線透過率は、とりわけ規格ＡＳＴＭ  Ｄ４９３５−１０、ＩＥＥＥ規格２９９−２００６、ＩＥＥＥ規格１１２８−１９９８およびＡＳＴＭ  Ａ６９８／Ａ６９８Ｍ−０７の１つにしたがって規定することができる。
【００２９】
好ましくは、フライス加工部または孔部とすることのできる切欠部は、挟み込みジョーにより覆われた、ダイのフランジ領域に配置されている。ここでは、切欠部または孔部の長手伸長部は、送信ユニットを受け入れるために、好ましくは挟み込みヘッド面またはダイの旋回面に対して横方向に配向されているか、またはこの面内に配置されている。後者の場合、長手軸も、ダイに作用するプレス力に対して平行に配向することができる。
【００３０】
本発明の提案に関して、電子制御ユニットは、出力装置を制御する制御論理回路を有する。ここで出力装置の制御は、検出装置により検出されたダイの識別子に基づいて行われる。択一的にまたは累積的に、出力装置の制御は、検出された識別子に対して特異的な、データメモリからのデータに基づいて行われる。ここで出力装置の制御は制御ユニットによって、プレス工具に装着されたダイによりプレスすることのできる加工物の形式に関する情報を含む出力が形成されるように行われる。例えばこの出力は、プレス工具を圧着工具として構成するために、どの形式またはコネクタのどの形式、どのケーブルまたはケーブルのどの形式、および／または場合により、どの補充シールを、識別子の検出されたダイによりプレスすることができるか、に関する情報を含むことができる。この出力を介してユーザに提供された情報に基づいて、ユーザはプラグまたはケーブル並びに場合によりシールを選択することができ、または存在する加工物に対してそのダイが適するのか否かを検査することができる。しかし、この出力に基づいてユーザは、既存のダイがプレスすべき加工物に対して適するものではないことを認識することも可能であり、それによりユーザは、他のダイをプレス工具に装着することができる。
【００３１】
択一的にまたは累積的に、電子制御ユニットの制御ユニットが、検出装置により検出されたダイの識別子に基づいて、および／またはデータメモリからのデータに基づいて、出力装置の出力またはデータメモリへの登録を制御することが可能である。この場合、この出力または登録は、ダイがプレス工具での使用に対して認証されていないという情報を含む。このようにしてユーザに、例えばダイの剽窃物がプレス工具に装着されること、または装着されたプレス工具の形式に適しないダイがダイ収容部に装着されたことを通知することができ、またはそれを記録することができる。出力または登録を行う他に、例えば警報信号または警告音の形成のような他の措置を取ることもできる。極端な場合、それどころかプレス工具を自動的に無効にすることができ、これにより認証されていないダイによるプレス工具の運転を阻止する。
【００３２】
本発明の基礎となる課題のさらなる解決策は、請求項１１から１３に特定されたような、加工物のプレス方法である。
【００３３】
本発明の有利な改善携帯は、特許請求の範囲、明細書および図面から得られる。明細書に述べた特徴および複数の特徴の組み合わせの利点は単なる例であり、択一的にまたは累積的に作用することができ、これらの利点は本発明の実施形態により必然的に達成する必要はない。これにより添付の特許請求の範囲の対象を変更することなく、元の出願書類および特許の開示内容に関しては、以下のことが当てはまる。さらなる特徴は、図面、とりわけ図示の幾何形状および複数の構成部材の互いの相対的寸法並びにそれらの相対的配置と作用接続から理解される。本発明の種々の実施形態の特徴の組み合わせ、または種々の請求項の特徴の組み合わせは、請求項の選択された引用関係から異なっても同様に可能であり、ここにおいて提案される。このことは、別個の図面に示される特徴、または図面の説明において述べられる特徴にも該当する。これらの特徴は、異なる請求項の特徴と組み合わせることもできる。同様に特許請求の範囲に挙げられた特徴は、本発明のさらなる実施形態に対しても当てはまる。
【００３４】
特許請求の範囲および明細書に挙げた特徴は、それらの数に関して、副詞「少なくとも」を明示的に使用する必要なく、ちょうどその数であり、または前記数よりも大きい数が存在していると理解すべきである。したがって例えば要素について述べる場合、これはちょうど１つの要素、２つの要素またはそれ以上の要素が存在することであると理解すべきである。これらの特徴は、別の特徴により補完することができ、またはそれぞれの製品を構成するただ１つの特徴であってもよい。
【００３５】
特許請求の範囲に含まれる参照符号は、特許請求の範囲により保護される対象の範囲を制限するものではない。参照符号は、特許請求の範囲を容易に理解する目的のためにだけ用いられる。
【００３６】
以下、本発明を、図面に示された好ましい実施例に基づき、さらに説明し記述する。
【図面の簡単な説明】
【００３７】
【図１】プレス工具および交換可能なダイを有するプレス工具セット、外部の電子制御ユニット、および外部のデータメモリを備えるプレス工具ネットワークの概略図である。
【図２】プレス工具による加工物のプレス方法を概略的に示す図である。
【図３】識別子のための送信ユニットがそれぞれ中に配置された２つのダイの斜視図である。
【図４】識別子のための送信ユニットがそれぞれ中に配置された２つのダイの択一的実施形態の斜視図である。
【発明を実施するための形態】
【００３８】
図１は、プレス工具セット１を示す。プレス工具セット１は、プレス工具２および交換可能な一対のダイ３，４を有する。図示の実施例に関して、プレス工具２は、ここでは圧着ペンチ６として構成されたプレスペンチ５である。ここでプレスペンチ５の操作は、ユーザによりハンドレバー７，８の手動の操作を介して行われる。ハンドレバー７，８は、ここに図示しない駆動接続部を介してダイ収容部１０，１１と、ハンドレバー７，８の互いの相対的旋回がダイ収容部１０，１１の開放および閉鎖運動を引き起こすように接続されている。プレス工具２のプレスペンチ５としての構成に関して、ダイ収容部１０，１は挟み込みジョー１２，１３として構成されている。ここで駆動接続部９は、機械的挟み込みヘッド１５のケーシングの内部に伸長している。
【００３９】
プレス工具２は、ダイ収容部１０，１１に隣接して配置された電子構成群または電子構成ユニット１６を有する。図示の実施例に関して、電子構成ユニット１６は、機械的挟み込みヘッド１５のケーシング１４に保持され、好ましくは電子構成ユニット１６は、機械的挟み込みヘッド１５の両側に配置されており、電子構成群は、部分的にまたは完全に機械的挟み込みヘッド１５の周囲に伸長することができる。電子構成ユニット１６の構造的構成、電子構成ユニット１６の電気的または電子的構成、および／または電子構成ユニット１６と機械的挟み込みヘッド１５との接続に関しては、未公開の欧州特許願、官庁書類番号ＥＰ１８１７３８０３．０を参照されたい。この刊行物は、本特許願の対象とする。
【００４０】
ダイ３に作用するプレス力の力の流れは、少なくとも部分的に、ダイ３に作用するプレス力を検出するセンサ１７を介して経過する。ここではセンサ１７を印加する一方の部分プレス力と、センサ１７にある機械的並列回路を通過する他方の部分プレス力とにプレス力を分割することによる、センサ１７の構成およびプレス工具へのその組み込みに関して、未公開の欧州特許願ＥＰ１７１６８０４０．８−１８０９を参照されたい。この刊行物は、本特許願の対象とする。
【００４１】
ダイ３，４は、それぞれ、所属のダイ３，４に対して、またはダイ３，４の形式に対して特異的な識別子１８，１９を有する。
【００４２】
電子構成ユニット１６は識別子処理ユニット２０を有し、この識別子処理ユニットは、検出装置２１、電子制御ユニット２２、出力装置２３、およびインタフェース２４を有する。
【００４３】
識別子処理ユニット２０は、一方ではセンサ１７と、センサ１７によりプレス行程中に測定された実際プレス力信号２５を伝送するために通信する。センサ１７または別のセンサが、プレス行程中に実際プレス経路信号２６を求めることも可能である。識別子処理ユニット２０、ここでは検出装置２１は、ダイ３，４の識別子１８，１９を検出する。冒頭に述べたように、これは、光学的符号の形態の識別子をカメラまたはスキャナにより、あるいは検出装置２１の読み取り装置により検出することによって、機械的輪郭の形態の識別子を、機械的走査装置により検出し、ダイ３，４のＲＦＩＤユニット２７，２８がこの識別子１８，１９を送信し、そしてこの識別子を検出装置２１により検出することによって、ダイの送信された光または送信された光線が識別子１８，１９を符号化して含んでおり、検出装置２１により検出される場合、ダイ３，４の光線送信器または光送信器あるいは近距離通信によって、または、ダイ３，４と検出装置２１との間の誘導性結合によって行うことができる。これらは、本発明を制限しない単なるいくつかの例である。
【００４４】
識別子処理ユニット２０（または電子構成ユニット１６）は、インタフェース２４を介して外部の電子構成ユニット３１と通信する。この外部の電子構成ユニットは、ＰＣ、タブレット、ラップトップ、またはスマートフォンとして構成することができる。電子制御ユニット３１は、出力装置３２、データメモリ３３、並びに加工物特定装置３４を有する。好ましくはインタフェース２４と電子制御ユニット３１との間の通信は、双方向に行われる。電子制御ユニット３１は、さらに適切なインタフェースを介して（制御ユニット３１およびプレス工具セット１の外部に配置された）データメモリ３７と通信３６する。このデータメモリは、好ましくはクラウドメモリ３８である。
【００４５】
プレス工具セット１は、通信３５によって制御ユニット３１と通信し、この制御ユニットはさらに通信３６によってデータメモリ３７と通信し、このようにしてプレス工具ネットワーク３９が形成されている。
【００４６】
図２は、加工物をプレスする方法を示す。
【００４７】
方法ステップ４０で、ユーザは複数のダイ対からダイ３，４を選択し、これらのダイをプレス工具２のダイ収容部１０，１１に装着する。
【００４８】
方法ステップ４１で、ダイ３，４の識別子１８，１９の検出が検出装置２１によって行われる。前に説明したように、このことは、バーコードまたはＱＲコードのような光学的識別子を読み取り装置により検出することによって、ダイ３，４の走査輪郭を機械的に走査することによって、それぞれダイ３，４に配属されたＲＦＩＤユニット２７，２８の信号を検出装置２１により受信することによって、誘導性結合等によって行うことができる。
【００４９】
方法ステップ４２で、検出された識別子１８，１９の処理が制御ユニット２２によって行われる。この処理に基づき、出力装置２３で出力を行うことが可能である。したがって例えば出力装置２３において、どの特定のダイ３，４であるか（例えば目下のダイ番号により）、またはどの形式のダイあるかを指示することができる。同様に出力装置２３において、ダイ３，４がすでに実行した作業行程の数を指示することができ、作業行程の数に対する閾値を上回ることにより、出力装置２３においてダイ３，４の交換のための要請を指示することができる。ここではこの評価のために必要な情報、例えばプレス工具２の適切な計数装置により計数される、ダイ３，４が実行した作業工程の数、ダイの種々の対の種々の識別子１８，１９と加工物の形式との割り当て等を識別子処理ユニット２０または電子構成ユニット１６のメモリユニットに記憶しておくことが可能である。しかしこれは、ここに記載する実施例の場合ではない。
【００５０】
むしろ方法ステップ４３で、識別子１８，１９（またはそこから制御ユニット２２の処理の結果として求められた情報）が、インタフェース２４を介し通信３５によって制御ユニット３１に伝送される。この制御ユニットは、例えばスマートフォンまたはタブレットである。ここで伝送は、好ましくはＷＬＡＮまたはＢｌｕｅｔｏｏｔｈによる無線で、またはケーブル接続で行われる。
【００５１】
制御ユニット３１は、方法ステップ４４でさらに、識別子１８，１９（またはそこから、場合により制御ユニット３１によるさらなる処理の下で、求められた情報）を通信３６によって、とりわけクラウドメモリ３８として構成されたデータメモリ３７に通知する。データメモリ３７には、識別子１８，１９またはそこから求められた情報と、識別子１８，１９に割り当てられたダイ３，４により加工することのできる加工物の形式または構成部材との対応関係が格納されている。
【００５２】
この対応関係および制御ユニット３１並びに／または制御ユニット２２への通信を考慮して、方法ステップ４５では制御ユニット３１および／または２２において、ダイ収容部１０，１１に配置されたダイ３，４が、どの加工物に対して、加工物のどの形式（複数または単数）に対して、またはそれらの組成物に対して決定されているかという情報を提供することができる。
【００５３】
この情報は、方法ステップ４６でユーザに、出力装置２３および／または３２を介して通知することができる。したがって例えば方法ステップ４６でユーザに、スマートフォンの表示器を介して、どのコネクタを、どのケーブルおよび／またはどのパッキンに、プレス工具２に装着されたダイ３，４によって圧着することができるかを表示することができる。
【００５４】
例えば、ユーザが制御ユニット３１の加工物特定装置３４を介して加工物または構成部材の製造番号または形式番号を入力し、制御ユニット３１がユーザに、この加工物またはその構成部材をダイ３，４により圧着することが許容されているか否かを指示することも可能である。
【００５５】
任意選択で、および選択的にまたは累積的に、方法ステップ４７で制御ユニット３１に、データメモリ３７から検出された識別子１８，１９に対して特異的なデータ４８を提供することも可能であり、このデータは、目標プレス力経過４９および／または目標プレス経路経過５０、その勾配、最大値、最小値等とすることができる。そしてプレス工具により加工物のプレスが行われると、センサ１７により検出された実際プレス力信号２５および／または実際プレス経路信号２６が、制御ユニット２２から通信３５によって制御ユニット３１に伝送される。次に制御ユニット３１によって、方法ステップ５１でプレス過程の評価が、一方では目標プレス力経過４９および／または目標プレス経路経過５０と、実際プレス力信号２５および／または実際プレス経路信号２６とを考慮して、または比較して行われる。この種の評価は、一方では装着されたダイ３，４が、その中でプレスされる加工物に対して使用することが本当に許容されているのか否かの検査に使用することができる。なぜなら、適切でない（とりわけ適切でない直径、適切でない剛性および／または適切でない幾何形状の）加工物のプレスにより、目標プレス力経過４９からの実際プレス力信号２５の偏差が、公差範囲（同様にデータメモリ３７から通信３６を介して制御ユニット３１に提供することができる）の外になるからである。しかし許容される加工物がダイ３，４によりプレスできる場合であっても、比較によって加工物が正しくダイ３，４に装填されているか、およびプレス行程が正常に実行されたかについてプレス監視を行うことができる。そうでない場合には、同様に実際プレス力信号２５が目標プレス力経過４９の公差範囲外となる。そして出力装置３２を介して相応の出力を形成することができる。したがって例えば出力は、加工物がダイ３，４によるプレスに対して許容されたものであるか否かについて、プレス行程が正常に実行されたか否かについて、またはそれどころか、時間あるいは実際プレス経路信号にわたる実際プレス力信号、および／または時間あるいは目標プレス経路経過にわたる目標プレス力経過（場合により公差範囲の表示と共に）について表示を行うことができる。これによりユーザには、実際プレス力信号２５が公差範囲内のどこに存在していたか、および場合により公差範囲を逸脱したか否かについて通知される。
【００５６】
次に方法ステップ５２で、プレス工具２、すなわち電子構成ユニット１６または識別子処理ユニット２０のデータメモリ、データメモリ３３および／またはデータメモリ３７に登録することにより記録を行うことができる。
【００５７】
本発明を制限しない単なる一例を挙げると、登録は、プレス工程が実行された日付、検出された識別子１８，１９、加工物特定装置３４を介して検出または入力された、装着された加工物についてのデータ、プレス過程の評価結果、例えば実際プレス力信号２５および／または実際プレス経路信号２６を含むことができる。
【００５８】
任意選択で、加工物特定装置３４によって、プレス工具２によりプレスすべき加工物を特定することができる。この加工物特定装置は、加工物またはその要素を識別するために画像識別を行うことでプレスすべき加工物を画像検出することができ、または手動での数字入力に基づくことができる。この場合、同様に方法ステップ５２で登録により記録することができる。そして制御ユニット３１において、特定の加工物とダイ３，４とが許容された組み合わせであるか否かを検査することができ、結果を出力装置３４を介して指示することができる。択一的にまたは累積的に、特定の加工物に対してデータメモリ３７から、この特定の加工物に対して特異的な特徴的データを制御ユニット３１に、例えばダイ３，４／特定の加工物の組み合わせに関する特定の目標プレス力経過４９および目標プレス経路経過５０を提供することが可能であり、これらは、前に記載した評価の基礎とすることができる。  加工物特定装置３４により検出された、またはこれに入力された、プレスすべき加工物の仕様に基づいて、ユーザに表示装置において、どの適切なダイをダイ収容部に装着しなければならないかを表示することも可能である。識別子処理ユニット２０または電子構成ユニット１６はＧＰＳユニットを有することができ、このＧＰＳユニットにより自動的にプレス工具２の位置を識別することができる。このように識別された位置は、次に通信３５を介して外部の電子制御ユニット３１に伝送することができる。そして外部の電子制御ユニット３１においてユーザにプレス工具２の位置を、場合によりプレス工具２への経路についての示唆と共に指示することができる。このようにしてユーザは、プレス工具をどこかにしまい込んだ場合、このプレス工具２を簡単に見つけ出すことができる。しかしダイ３，４がＧＰＳユニットを有することも可能であり、ＧＰＳユニットの信号は（電子構成ユニット１６を介して、またはこれに依存しないで）外部の電子制御ユニット３１に伝送することができ、これにより外部の電子制御ユニット３１においてダイの位置が既知となり、指示することができる。
【００５９】
さらなるオプションとして、プレス工具２は、プレス工具２のための、および好ましくは複数のさらなる工具のための保管装置と通信することもできる。例えば保管装置は、工具箱、工具トレイまたは工具引き渡し箇所である。通信によって保管装置には、プレス工具２が保管装置内に存在することについて情報通知される。このことは、例えば自動的に、保管装置にプレス工具２が配置されている場合、このプレス工具２から発信され、このプレス工具２を特定する信号を、保管装置に配置された受信器の受信領域内で受信することにより行われる。そして保管装置は、保管装置内に配置された工具の概観をユーザに与え、その際に特に、プレス工具２が保管装置内に存在するか否かの情報を与えることができる。対応することがダイ３，４に対しても当てはまる。
【００６０】
図３は、それぞれ識別子１８，１９に対する送信ユニット５３，５４が組み込まれているダイ３，４を示す。送信ユニット５３，５４がバッテリーまたは再充電可能な電池を有しており、これにより送信ユニットが識別子１８，１９を能動的に送信できることも十分に可能である。このことはとりわけ、識別子処理ユニット２０の適切な作動信号によってトリガされる。しかし好ましくは送信ユニット５３，５４はＲＦＩＤユニット２７，２８として構成されている。図３によれば、ダイ３，４は切欠部５５，５６を有し、これらの切欠部はここでは有底孔部５７，５８として構成されている。送信ユニット５３，５４は、切欠部５５，５６に寸法通りに収容され、そのために送信ユニット５３，５４は、例えばボタンセル状またはシリンダ形に構成することができる。送信ユニット５３，５４のケーシングは、この送信ユニット５３，５４が切欠部５５，５６に装着可能である接合方向であって、有底孔部５７，５８の長手軸に対応することのできる接合方向に、またはこれとは反対の方向に、ダイ３，４において自由にアクセスすることが可能である。これにより、送信ユニット５３，５４から送信される識別子１８，１９が、ダイ３，４によって妨げられず、または減衰されない。識別子処理ユニット２０の検出装置２１が、接合方向により規定される軸の領域に配置されており、これにより送信ユニット５３，５４から送信される識別子１８，１９が迂回なしで受信できるようにすることも可能である。送信ユニット５３，５４を、配属された切欠部５５，５６に装着した後、送信ユニット５３を外に向かって、すなわち接合方向とは反対方向に塗料層によって覆うことも可能である。この塗料層は、送信ユニット５３，５４から送信される、識別子１８，１９を含む信号を、この信号の過度に大きな減衰または抑制なしで透過させることが望ましい。さらに塗料層は、送信ユニット５３，５４が収容された切欠部５５，５６内の内部空間を、外部に向かって密閉することができる。これにより湿気および／または汚れの侵入を回避することができる。最後に、塗料層によって、機械的損傷に対する送信ユニット５３，５４の保護作用を引き起こすことが可能である。好ましくは、送信ユニット５３，５４のケーシング、または塗料層または他のカバーは、ダイ３，４の外面６０に対して面一に構成されている。
【００６１】
図３と４の実施例に関して、ダイ３，４は基本的に、独国特許発明第１９８０２２８７号明細書に記載されたように構成されている。これは、例えばダイ３に基づいて説明されるが、対応することがダイ４に対しても当てはまる。ダイ３は、フランジ領域６１とダイ領域６２を有する。フランジ領域６１は、プレート状に構成されており、移行フィッティングまたは遊びをもって、所属の挟み込みジョー１２の挟み込みジョープレートの間に収容されている。フランジ領域６１は貫通孔部６３を有し、この貫通孔部は、ダイ３に作用する圧着力に対して横方向に、かつダイ３，４の旋回面に対して、すなわち挟み込みジョー１２，１３に対して横方向に配向されている。プレス工具５に取り付けられた状態で、貫通孔部６３を通って固定ねじまたは固定ピンが伸長する。これら固定ねじまたは固定ピンは、両端部領域において所属の挟み込みジョー１２の前記挟み込みジョープレートに保持されている。フランジ領域６１とダイ領域６２との間の移行領域には、段６５を設けることができるが、これは必須ではない。移行領域６４においてダイ３の本体は、互いに平行に配向された２つの孔部６６，６７を有し、これらの孔部は、ダイ３に作用する圧着力に対して垂直に、かつダイ３，４の旋回面に対して垂直に配向されている。孔部６６，６７内には支承要素６８，６９が保持されている。好ましくは支承要素６８，６９は、ピンまたはボルトとして構成されており、これらは孔部６６，６７内に寸法通りに収容されている。ダイ３が挟み込みジョー１２に取り付けられた状態で、フランジ領域６１から突き出る支承要素６８，６９の端部領域、ここではピンまたはボルトの半円筒状の外套面が、挟み込みジョープレートの相応に成形された凹状収容部に当接する。これにより、所属の挟み込みジョー１２におけるダイ３の保持および案内が保証される。
【００６２】
ダイ領域６２は、他方のダイの方向に挟み込みジョープレートから突き出ており、ダイ輪郭７０を形成するのに用いられる。ダイ３，４の基本的構成のさらなる詳細に関しては、独国特許発明第１９８０２２８７号明細書を参照されたい。
【００６３】
図３による実施例に関して、送信ユニット５３，５４はフランジ領域６１に配置されており、これにより、ダイ３，４がプレス工具５に取り付けられた状態に関して、送信ユニット５３，５４は、挟み込みジョープレートによって支持することができる。ここで好ましくは切欠部５５，５６は、フランジ領域６１の、ダイ領域６２とは反対の側に存在する。
【００６４】
図４は、送信ユニット５３，５４がダイ３，４に組み込まれた別の例を示す。確かにここでも送信ユニット５３，５４は、ダイ３，４のフランジ領域６１に配置されている。しかし、切欠部５５，５６、ここでは有底孔部５７，５８が、挟み込みヘッド平面内に伸長するように配置されており、好ましくは切欠部５５，５６または有底孔部５７，５８の伸長方向は、プレス力に対して平行に配向されている。好ましくはプレス工具５は、接合方向５９により規定される軸の領域において中空空間を、とりわけ挟み込みジョープレートの間に形成する。この中空空間は、良好な信号伝送を保証する。この中空空間には識別子処理ユニット２０または検出装置２１が直接隣接することができる。または、中空空間と検出装置２１の間に、さらなる構成素子または材料領域を配置することができる。
【００６５】
送信ユニット５３，５４のダイ３，４への組み込みには多種多様の形式が可能である。非制限的な単なるいくつかの例を挙げれば、送信ユニット５３，５４が配置された切欠部またはダイ３，４の内部空間は、カバーによって閉鎖することができる。フランジ領域６１、またはそれどころかダイ３全体を２つのハーフシェルにより構成することも可能であり、これらのハーフシェルは、送信ユニット５３，５４を収容するための内部空間を形成する。２つのハーフシェルは、例えば接着または溶接によって互いに内部空間を密閉して接合することができる。
【００６６】
所属の検出装置２１からの送信ユニット５３，５４の間隔は、好ましくは３ｃｍ未満、２ｃｍ未満、１．５ｃｍ未満、またはそれどころか１ｃｍ未満であり、この間隔は、少なくとも部分的に、前に説明したプレス工具５の中空空間を通って伸長し、これにより良好な信号伝送が保証される。
【００６７】
識別子１８，１９または送信ユニット５３，５４がＲＦＩＤを有する場合、相応のことが、識別子処理ユニット２０から送信される、ＲＦＩＤにエネルギー供給するための励起信号に対して当てはまる。
【符号の説明】
【００６８】
１  プレス工具セット
２  プレス工具
３  ダイ
４  ダイ
５  プレスペンチ
６  圧着ペンチ
７  ハンドレバー
８  ハンドレバー
９  駆動接続部
１０  ダイ収容部
１１  ダイ収容部
１２  挟み込みジョー
１３  挟み込みジョー
１４  ケーシング
１５  機械的な挟み込みヘッド
１６  電子構成ユニット
１７  センサ
１８  識別子
１９  識別子
２０  識別子処理ユニット
２１  検出装置
２２  電子制御ユニット
２３  出力装置
２４  インタフェース
２５  実際プレス力信号
２６  実際プレス経路信号
２７  ＲＦＩＤユニット
２８  ＲＦＩＤユニット
２９  光線または光送信器
３０  光線または光送信器
３１  外部の電子制御ユニット
３２  出力装置
３３  データメモリ
３４  加工物特定装置
３５  通信
３６  通信
３７  データメモリ
３８  クラウドメモリ
３９  プレス工具ネットワーク
４０  方法ステップ
４１  方法ステップ
４２  方法ステップ
４３  方法ステップ
４４  方法ステップ
４５  方法ステップ
４６  方法ステップ
４７  方法ステップ
４８  データ
４９  目標プレス力経過
５０  目標プレス経路経過
５１  方法ステップ
５２  方法ステップ
５３  送信ユニット
５４  送信ユニット
５５  切欠部
５６  切欠部
５７  有底孔部
５８  有底孔部
５９  接合方向
６０  外面
６１  フランジ領域
６２  ダイ領域
６３  貫通孔部
６４  移行領域
６５  段
６６  孔部
６７  孔部
６８  支承要素
６９  支承要素
７０  ダイ輪郭
【図１】
2020082344.tif 000003
【図２】
2020082344.tif 000004
【図３】
2020082344.tif 000005
【図４】
2020082344.tif 000006
【外国語明細書】
2020082344000001.pdf